(57)【特許請求の範囲】
【請求項１】
画像データに基づいた画像を用紙に形成する画像形成部と、
前記画像形成部で画像形成された前記用紙に残留する電荷を除去する除電ローラ対を備えて構成される除電部と、
前記除電ローラ対の軸方向を長手方向として当該長手方向に開口部を有し、前記除電部の上側に設けられたガイドレールと、
前記除電部の垂直方向の上側に配置され、前記ガイドレールの開口部に沿ってスリット形状の送風口を前記除電部に向けて下側に備え、前記除電ローラ対を通過した前記用紙を送風により冷却する送風部と、を有し、
前記除電部は、前記ガイドレールに摺動可能に支持されるスライダを備えることで前記画像形成装置に対して着脱可能であって、前記除電ローラ対を通過した前記用紙を支える用紙搬送ガイドを備え、
前記送風部は、前記用紙搬送ガイドが前記用紙を支える位置より用紙搬送方向の下流側に送風を行う送風ガイドを備える、
ことを特徴とする画像形成装置。
【請求項２】
画像データに基づいた画像を用紙に形成する画像形成部と、
前記画像形成部で画像形成された前記用紙に残留する電荷を除去する除電ローラ対を備えて構成される除電部と、
前記除電部の前記除電ローラ対を通過した前記用紙を送風により冷却する送風部と、
を有する画像形成装置であって、
前記除電部は、前記除電ローラ対を通過した前記用紙を支える用紙搬送ガイドを備えて構成され、
前記送風部は、前記用紙搬送ガイドが前記用紙を支える位置より用紙搬送方向の下流側に送風を行う送風ガイドを備えると共に、前記用紙搬送方向の異なる位置に対して送風を行うよう複数の送風経路を備えて構成される、
ことを特徴とする画像形成装置。
【請求項３】
前記除電ローラ対の軸方向を長手方向として当該長手方向に開口部を有するガイドレールを更に備えて構成され、
前記除電部は、前記ガイドレールに摺動可能に支持されるスライダを備えることで前記画像形成装置に対して着脱可能であって、前記除電ローラ対を通過した前記用紙を支える用紙搬送ガイドを備えて構成され、
前記送風部は、前記除電部の垂直方向の上側に配置され、前記ガイドレールの開口部に沿ってスリット形状の送風口と、前記用紙搬送ガイドが前記用紙を支える位置より用紙搬送方向の下流側に送風を行う送風ガイドとを備える、
ことを特徴とする請求項２に記載の画像形成装置。
【請求項４】
前記送風ガイドは、前記用紙を搬送する経路に近い領域が弾性体で構成される、
ことを特徴とする請求項１乃至請求項３のいずれか一項に記載の画像形成装置。
【請求項５】
前記用紙搬送ガイドは、前記用紙を支える部位が、前記除電ローラ対から出力される前記用紙を搬送する搬送経路に突出する状態に配置される、
ことを特徴とする請求項１乃至請求項４のいずれか一項に記載の画像形成装置。
【請求項６】
画像データに基づいた画像を用紙に形成する画像形成部を備えた画像形成装置の下流に接続され、前記画像形成装置から搬送される前記用紙を受け入れて前記用紙を除電する除電装置であって、
前記画像形成部で画像形成された前記用紙に残留する電荷を除去する除電ローラ対を備えて構成される除電部と、
前記除電ローラ対の軸方向を長手方向として当該長手方向に開口部を有し、前記除電部の上側に設けられたガイドレールと、
前記除電部の垂直方向の上側に配置され、前記ガイドレールの開口部に沿ってスリット形状の送風口を前記除電部に向けて下側に備え、前記除電ローラ対を通過した前記用紙を送風により冷却する送風部と、を有し、
前記除電部は、前記ガイドレールに摺動可能に支持されるスライダを備えることで前記画像形成装置に対して着脱可能であって、前記除電ローラ対を通過した前記用紙を支える用紙搬送ガイドを備え、
前記送風部は、前記用紙搬送ガイドが前記用紙を支える位置より用紙搬送方向の下流側に送風を行う送風ガイドを備える、
ことを特徴とする除電装置。
【請求項７】
画像データに基づいた画像を用紙に形成する画像形成部を備えた画像形成装置の下流に接続され、前記画像形成装置から搬送される前記用紙を受け入れて前記用紙を除電する除電装置であって、
前記画像形成部で画像形成された前記用紙に残留する電荷を除去する除電ローラ対を備えて構成される除電部と、
前記除電部の前記除電ローラ対を通過した前記用紙を送風により冷却する送風部と、
を有し、
前記除電部は、前記除電ローラ対を通過した前記用紙を支える用紙搬送ガイドを備えて構成され、
前記送風部は、前記用紙搬送ガイドが前記用紙を支える位置より用紙搬送方向の下流側に送風を行う送風ガイドを備えると共に、前記用紙搬送方向の異なる位置に対して送風を行うよう複数の送風経路を備えて構成される、
ことを特徴とする除電装置。
【請求項８】
前記除電ローラ対の軸方向を長手方向として当該長手方向に開口部を有するガイドレールを更に備えて構成され、
前記除電部は、前記ガイドレールに摺動可能に支持されるスライダを備えることで前記画像形成装置に対して着脱可能であって、前記除電ローラ対を通過した前記用紙を支える用紙搬送ガイドを備えて構成され、
前記送風部は、前記除電部の垂直方向の上側に配置され、前記ガイドレールの開口部に沿ってスリット形状の送風口と、前記用紙搬送ガイドが前記用紙を支える位置より用紙搬送方向の下流側に送風を行う送風ガイドとを備える、
ことを特徴とする請求項７に記載の除電装置。
【請求項９】
前記送風ガイドは、前記用紙を搬送する経路に近い領域が弾性体で構成される、
ことを特徴とする請求項６乃至請求項８のいずれか一項に記載の除電装置。
【請求項１０】
前記用紙搬送ガイドは、前記用紙を支える部位が、前記除電ローラ対から出力される前記用紙を搬送する搬送経路に突出する状態に配置される、
ことを特徴とする請求項６乃至請求項９のいずれか一項に記載の除電装置。
【発明の詳細な説明】
【技術分野】
【０００１】
本発明は、画像形成された用紙を除電する除電装置と、このような除電装置を備えた画像形成装置に関する。
【背景技術】
【０００２】
電子写真方式の画像形成装置、すなわち、複写機、プリンタ、ファクシミリ装置、又は、これらの機能を有する複合機では、像担持体に形成されたトナー像を、転写位置において用紙の裏側に配置された転写部の電位によって、用紙に転写するようにしている。
この結果、画像形成された用紙には、転写時の電荷が残留しており、静電気によって搬送中の用紙が各部に貼り付く、あるいは、貼り付こうとして、搬送異常を生じることがある。
【０００３】
このような静電的な用紙貼り付きを防止すべく、用紙に残留している電荷を除去する除電ローラ対を設け、この除電ローラ対の間に用紙を搬送して残留電荷を除去する仕組みが存在している。
また、画像形成において、転写の後に定着器の熱と圧力とによって、用紙上のトナー像を用紙に密着させるようにしている。このため、画像形成装置から出力された直後の用紙は、転写時の残留電荷だけでなく、定着時の高温状態も残った状態になっている。そして、画像形成装置の生産性の向上により、単位時間あたりの用紙出力枚数が増え、定着時の熱が逃げにくく、用紙が高温のままになりやすい状況が生じている。そして、この熱によっても、用紙が乾燥し、搬送中の用紙の貼り付きが発生しやすい状況になっている。
【０００４】
このため、以上の除電装置において、除電に加えて、送風部を設けて送風冷却を行うことが提案されている。なお、関連する技術は、以下の特許文献に記載されている。
【先行技術文献】
【特許文献】
【０００５】
【特許文献１】特開２００８−１３４４８４号公報
【発明の概要】
【発明が解決しようとする課題】
【０００６】
以上の特許文献１では、定着されて高温になった用紙を排出部で冷却する冷却装置が提案されている。
ところで、近年は、画像形成装置単体ではなく、画像形成装置で出力された用紙に製本処理などの各種後処理を施す後処理装置が接続された状態の画像形成システムとして使用されるものが存在している。
【０００７】
このような画像形成システムでは、設置スペースの関係で、画像形成装置と後処理装置との間に薄型の除電装置を設けるようにしている。
図９は、画像形成部１５０と定着部１６０を備える画像形成装置１００と、除電部２１０と送風部２２０を備える除電装置２００と、後処理部３５０を備える後処理装置３００とが、用紙搬送方向に沿って接続された状態の画像形成システム１を例示している。
【０００８】
ここで、除電装置２００は、除電ローラ対を備えた除電部２１０と、除電ローラ対付近で用紙に対して送風する送風部２２０とを備えて構成されている。
このような画像形成システム１では、設置スペースの関係で、画像形成装置１００と後処理装置３００との間に薄型の除電装置２００を設けるようにしている。
【０００９】
ここで、図１０に、除電装置２００の概略構成を示す。ここでは、除電ローラ２０１ａと２１０ｂとで除電ローラ対を構成している。また、送風ガイド２１２が、図示されない送風部からの空気の流れ（冷却風）を除電ローラ対を通過した直後の用紙Ｐに導いて冷却する構成になっている。
【００１０】
本件出願の発明者が確認したところ、除電ローラ対を通過した直後の用紙Ｐは、先端が自由端となった状態で搬送されつつ送風ガイド２１２からの冷却風があたることで、用紙Ｐ全体が振動することになる。但し、用紙の先端が後処理装置３００の入力ローラに到達すれば、自由端でなくなるため振動は収まる。このような用紙Ｐの振動は、スティックスリップとよばれる自励振動である。そして、このような用紙Ｐの振動により、不快な音が発生する問題が発生することが判明した。
【００１１】
本発明はこのような課題に鑑みてなされたものであって、画像形成された用紙に対して送風冷却と除電とを行う際に、搬送中の用紙を振動させないことを目的とする。
【課題を解決するための手段】
【００１２】
上述した課題を解決する本発明の画像形成装置及び除電装置の一態様は以下の通りである。
（１）本発明は、画像データに基づいた画像を用紙に形成する画像形成部と、前記画像形成部で画像形成された前記用紙に残留する電荷を除去する除電ローラ対を備えて構成される除電部と、前記除電ローラ対の軸方向を長手方向として当該長手方向に開口部を有し、前記除電部の上側に設けられたガイドレールと、前記除電部の垂直方向の上側に配置され、前記ガイドレールの開口部に沿ってスリット形状の送風口を前記除電部に向けて下側に備え、前記除電ローラ対を通過した前記用紙を送風により冷却する送風部と、を有し、前記除電部は、前記ガイドレールに摺動可能に支持されるスライダを備えることで前記画像形成装置に対して着脱可能であって、前記除電ローラ対を通過した前記用紙を支える用紙搬送ガイドを備え、前記送風部は、前記用紙搬送ガイドが前記用紙を支える位置より用紙搬送方向の下流側に送風を行う送風ガイドを備える、ことを特徴とする。
【００１３】
（２）本発明は、画像データに基づいた画像を用紙に形成する画像形成部と、前記画像形成部で画像形成された前記用紙に残留する電荷を除去する除電ローラ対を備えて構成される除電部と、前記除電部の前記除電ローラ対を通過した前記用紙を送風により冷却する送風部と、を有する画像形成装置であって、前記除電部は、前記除電ローラ対を通過した前記用紙を支える用紙搬送ガイドを備えて構成され、前記送風部は、前記用紙搬送ガイドが前記用紙を支える位置より用紙搬送方向の下流側に送風を行う送風ガイドを備えると共に、前記用紙搬送方向の異なる位置に対して送風を行うよう複数の送風経路を備えて構成される、ことを特徴とする。
【００１４】
（３）以上の（２）において、前記除電ローラ対の軸方向を長手方向として当該長手方向に開口部を有するガイドレールを更に備えて構成され、前記除電部は、前記ガイドレールに摺動可能に支持されるスライダを備えることで前記画像形成装置に対して着脱可能であって、前記除電ローラ対を通過した前記用紙を支える用紙搬送ガイドを備えて構成され、前記送風部は、前記除電部の垂直方向の上側に配置され、前記ガイドレールの開口部に沿ってスリット形状の送風口と、前記用紙搬送ガイドが前記用紙を支える位置より用紙搬送方向の下流側に送風を行う送風ガイドとを備える。
【００１５】
（４）以上の（１）〜（３）において、前記送風ガイドは、前記用紙を搬送する経路に近い領域が弾性体で構成される、ことを特徴とする。
（５）以上の（１）〜（４）において、前記用紙搬送ガイドは、前記用紙を支える部位が、前記除電ローラ対から出力される前記用紙を搬送する搬送経路に突出する状態に配置される、ことを特徴とする。
【発明の効果】
【００１７】
本発明の一側面が反映された画像形成装置と除電装置では、以下のような効果が得られる。
（１）本発明では、画像形成部で画像形成された用紙に残留する電荷を除去するローラ対を備えて構成される除電部は、ローラ対を通過した用紙を支える用紙搬送ガイドを備えて構成され、除電部のローラ対を通過した用紙を送風により冷却する送風部は、用紙搬送ガイドが用紙を支える位置より用紙搬送方向の下流側に送風を行う送風ガイドを備えるため、除電除電ローラ対を通過した直後の搬送中の用紙は、用紙搬送ガイドで支持された状態で送風ガイドからの冷却風があたることで、用紙は用紙搬送ガイドに押しつけられて振動が発生しない状態になる。
【００１８】
また、除電ローラ対の軸方向を長手方向として当該長手方向に開口部を有するガイドレールを更に備えて構成され、送風部はガイドレールの開口部に沿ってスリット形状の送風口を備えて構成され、除電部はガイドレールに摺動可能に支持されるスライダを備えることで画像形成装置に対して着脱可能に構成されると共に、ガイドレールの開口部を利用して送風部からの送風を受けるよう構成される、ことで、送風部と除電部とを効率良く配置することが可能になる。そして、除電部と送風部とは、用紙の紙面と垂直方向に上下方向に配置されているため、送風部と除電部とを効率良く配置して、除電装置を薄型に構成することが可能になる。
【００１９】
（２）本発明では、画像形成部で画像形成された用紙に残留する電荷を除去するローラ対を備えて構成される除電部は、ローラ対を通過した用紙を支える用紙搬送ガイドを備えて構成され、除電部のローラ対を通過した用紙を送風により冷却する送風部は、用紙搬送ガイドが用紙を支える位置より用紙搬送方向の下流側に送風を行う送風ガイドを備えるため、除電除電ローラ対を通過した直後の搬送中の用紙は、用紙搬送ガイドで支持された状態で送風ガイドからの冷却風があたることで、用紙は用紙搬送ガイドに押しつけられて振動が発生しない状態になる。また、送風ガイドは用紙搬送方向の異なる位置に対して送風を行うよう複数の送風経路を備えるため、用紙が用紙搬送ガイドに押しつけられて振動が発生しない状態を維持しつつ、大きな冷却効果を得ることができる。
【００２０】
（３）以上の（２）において、除電ローラ対の軸方向を長手方向として当該長手方向に開口部を有するガイドレールを更に備えて構成され、送風部はガイドレールの開口部に沿ってスリット形状の送風口を備えて構成され、除電部はガイドレールに摺動可能に支持されるスライダを備えることで画像形成装置に対して着脱可能に構成されると共に、ガイドレールの開口部を利用して送風部からの送風を受けるよう構成される、ことで、送風部と除電部とを効率良く配置することが可能になる。また、除電部と送風部とは、用紙の紙面と垂直方向に上下方向に配置されているため、送風部と除電部とを効率良く配置して、除電装置を薄型に構成することが可能になる。
【００２１】
（４）以上の（１）〜（３）において、送風ガイドは、用紙を搬送する経路に近い領域が弾性体で構成されるため、送風ガイドの末端を用紙搬送経路に近づけた場合にも用紙に影響を与えることがなく、振動を防止した良好な送風冷却を行える。
（５）以上の（１）〜（４）において、用紙搬送ガイドにおいて用紙を支える部位が、ローラ対から出力される用紙を搬送する搬送経路に突出する状態に配置されるため、搬送中の用紙を用紙搬送ガイドに突き当てつつ送風冷却でき、振動抑制効果が大きくなる。
【図面の簡単な説明】
【００２３】
【図１】本発明の実施形態の画像形成システムの構成を示す構成図である。
【図２】本発明の実施形態の除電装置の構成を示す構成図である。
【図３】本発明の実施形態の除電装置の構成を示す構成図である。
【図４】本発明の実施形態の除電装置の通紙状態を示す動作説明図である。
【図５】本発明の実施形態の除電装置の通紙状態を示す動作説明図である。
【図６】本発明の実施形態の除電装置の通紙状態を示す動作説明図である。
【図７】本発明の実施形態の除電装置の通紙状態を示す動作説明図である。
【図８】本発明の実施形態の除電装置の通紙状態を示す動作説明図である。
【図９】従来の除電装置の動作状態を示す説明図である。
【図１０】従来の除電装置の動作状態を示す説明図である。
【発明を実施するための形態】
【００２４】
以下、図面を参照して本発明を実施するための形態（以下、実施形態）を詳細に説明する。ここでは、除電装置を含む画像形成システム１を参照して実施形態を詳細に説明する。
〔システム全体構成〕
図１を参照して、本実施の形態に係る除電装置を含む画像形成システム１の構成について説明する。
【００２５】
図１に示すように、この画像形成システム１は、画像形成装置１００と、除電装置２００と、後処理装置３００と、を有して構成されている。なお、除電装置２００は、図１のように画像形成装置１００と別に存在していても良いが、画像形成装置１００の定着部１６０の後に内蔵されていても良いし、後処理装置３００の入力側に内蔵されていても良い。ここでは、画像形成システム１において、画像形成装置１００と後処理装置３００との中間に除電装置２００が配置されている具体例を用いて説明する。
【００２６】
図１において、画像形成装置１００は、給紙部１０５と、画像形成部１５０と、定着部１６０と、を有して構成されている。ここで、画像形成装置１００は、給紙部１０５のいずれかのトレイから用紙を搬送し、用紙に対して画像形成部１５０によりトナー像を形成する。例えば、電子写真方式により、帯電、露光、現像、一次転写、二次転写といったプロセスにより、用紙上にトナーによる画像を形成する。そして、用紙に形成されたトナー像は、定着部１６０において熱と圧力とで安定状態に定着される。定着部１６０でトナー像が定着された用紙は、下流側の除電装置２００に向けて搬送される。
【００２７】
除電装置２００は、画像形成装置１００で画像形成された用紙を受け入れ、除電ローラ対により用紙の帯電を除去する除電部２１０と、除電ローラ対を通過した用紙を送風冷却する送風部２２０と、を備えて構成している。なお、除電部２１０の上方（用紙の紙面の垂直方向の上側）に送風部が配置されている。
【００２８】
なお、除電部２１０の除電ローラ対と送風部２２０との位置関係を立体的に大まかに示すと、図２のようになっている。なお、除電装置２００を用紙搬送方向に薄型に構成するために、送風部２２０において、用紙搬送方向を回転軸方向とするシロッコファンを用いることが望ましい。除電ローラ対で除電された用紙は、下流側の後処理装置３００に向けて搬送される。
【００２９】
後処理装置３００は、除電装置２００で除電された用紙を受け入れ、後処理部３５０により製本処理等の各種の後処理を実行する。後処理部３５０で後処理された用紙は用紙束や冊子として排出される。
〔除電装置の詳細（１）〕
図３は除電装置２００における除電部２１０付近の基本構成を拡大して示す説明図である。この除電部２１０の上方に送風部２２０が配置されている。
【００３０】
ここで、除電装置２００の筐体２０１において、除電部２１０と送風部２２０との間の隔壁２０２には、除電ローラ対（除電ローラ２０１ａ、２１０ｂ）の軸方向を長手方向とした開口部が設けられている。そして、同様に、除電ローラ対の軸方向を長手方向として、当該長手方向に開口部を有するガイドレール２３０が、隔壁２０２に設けられている。なお、隔壁２０２の開口部とガイドレール２３０の開口部とは一致している。また、送風部２２０は、ガイドレール２３０と隔壁２０２の開口部に沿って、スリット形状の送風口を備えて構成される。これにより、ガイドレール２３０と隔壁２０２の開口部を利用して、除電部２１０は、送風部２２０からの送風を受けるよう構成される。
【００３１】
また、除電部２１０は、ガイドレール２３０に摺動可能に支持されるスライダ２１１を、天板に複数個備える。このガイドレール２３０とスライダ２１１とが摺動することにより、除電部２１０は、除電装置２００に対して着脱可能に構成されている。なお、ガイドレール２３０とスライダ２１１とは摺動以外にも、スライダ２１１側にローラを設けた機構にすることも可能である。また、スライダ２１１とガイドレール２３０の組合せを逆に配置することも可能である。
【００３２】
また、除電装置２００から除電部２１０を取り外す場合は、図３紙面垂直方向（手前又は奥）に除電部２１０を引き出すことにより行う。なお、取り外された除電部２１０を除電装置２００に取り付ける場合は、図３紙面垂直方向（奥又は手前）から、取り外しと逆の手順により除電部２１０を挿入することにより行う。
【００３３】
なお、除電ローラ対を構成する除電ローラ２０１ａ、２１０ｂは、用紙Ｐを挟持搬送することで、残留している用紙Ｐの電荷を、当該電荷とは逆の電位により残留電荷を解消するか、あるいは、当該電荷をアース等に逃がすことで、除電を行うように構成されている。なお、このような除電の仕組みやローラの回転駆動については公知であるため、除電のための電圧発生部や導電部、回転駆動源などの詳細説明は省略する。
【００３４】
また、図３において、除電部２１０の排出口付近には、除電ローラ対を通過して搬送される用紙Ｐを支持する用紙搬送ガイド２１４が設けられている。なお、この用紙搬送ガイド２１４は、用紙Ｐを支える部位（用紙Ｐに接触する部位）が、除電ローラ対から出力される用紙Ｐを搬送する搬送経路（図３中の破線（除電ローラ対の中心と、下流側の装置の入り口部のローラ（図示せず）を結んだ直線））付近に存在する状態に配置される。
【００３５】
また、図３において、送風ガイド２１２が、送風部２２０からの空気の流れ（冷却風）を、用紙搬送ガイド２１４が用紙Ｐを支える位置よりも用紙搬送方向下流側の位置に向けて、送風（図３中の白抜き矢印）を行うべく配置されている。なお、送風ガイド２１２は、除電部２１０の内部に設けられているが、送風を制御するため送風部２２０の一部であるとして考えることができる。
【００３６】
図４は、搬送中の用紙Ｐが除電装置２００の除電部２１０に掛かっている状態を模式的に示している。ここで、除電除電ローラ対（除電ローラ２０１ａ、２１０ｂ）を通過した直後の搬送中の用紙Ｐは、先端付近が用紙搬送ガイド２１４で下から支持された状態になっている。そして、用紙ガイド２１４を通過した用紙Ｐの先端部分に、送風ガイド２１２で向きが調整された送風部２２０からの冷却風が上からあたっている。これにより、用紙Ｐの先端付近は、上からの冷却風により用紙搬送ガイド２１４に押しつけられた状態であり、従来技術として説明したような用紙Ｐの自由端の搬送中における振動が発生しない状態になる。
【００３７】
また、以上の構成において、送風部２２０と除電部２１０とは、用紙Ｐの紙面と垂直方向に上下方向に効率的に配置されているため、画像形成システム１内の除電装置２００を薄型に構成することが可能になる。なお、送風部２２０と除電部２１０との上下関係を逆に構成することも可能である。すなわち、除電部２２０の下側から送風部２１０が冷却風を供給し、搬送経路の上側の用紙搬送ガイドに対して下からの冷却風で押さえて振動を防止することも可能である。
【００３８】
〔除電装置の詳細（２）〕
図５は除電装置２００における除電部２１０付近の第２構成例を拡大して示す説明図である。この除電部２１０の上方に送風部２２０が配置されている。
図３と異なる部分は、用紙搬送経路に近い送風ガイド２１２の先端が、弾性体で構成された弾性送風ガイド２１２ｃで延長された状態になっている。図５のそれ以外の部分は図３と同じであるため、重複した説明は省略する。
【００３９】
なお、弾性送風ガイド２１２ｃは、マイラーフィルムなどの弾性を有するフィルム状の材質で構成されていることが望ましいが、これに限定されない。例えば、送風ガイド２１２と弾性送風ガイド２１２ｃとは全体として同一の材質で構成されていて、先端付近の厚みを徐々に薄く構成して、先端付近に弾性を持たせるような構造であっても良い。
【００４０】
この図５の構成の場合、弾性送風ガイド２１２ｃが弾性体で構成されるため、弾性送風ガイド２１２ｃを用紙搬送経路にぎりぎりまで近づけて適切かつ効果的な送風を実現でき、万が一、弾性送風ガイド２１２ｃと用紙Ｐとが接触した場合でも、用紙Ｐに何ら影響を与えることがない。
【００４１】
〔除電装置の詳細（３）〕
図６は除電装置２００における除電部２１０付近の第３構成例を拡大して示す説明図である。この除電部２１０の上方に送風部２２０が配置されている。
図３〜図５と異なる部分は、第１送風ガイドとしての送風ガイド２１２ａの他に、送風ガイド２１２ａよりも用紙搬送方向の下流の位置に対して送風を行う第２送風ガイドとしての送風ガイド２１２ｂが設けられている。すなわち、用紙搬送方向の異なる位置に対して送風を行うよう、送風部２２０からの送風を分岐する複数の送風経路が設けられている。なお、送風ガイド２１２ａによる第１冷却風と送風ガイド２１２ｂによる第２冷却風とは、互いにぶつからない、すなわち、送風方向としてクロスしないことが重要である。なお、図６において、送風ガイド２１２ｂは、分岐部分より先の部分のみになっているが、送風ガイド２１２ａと同様な形状であっても構わない。
【００４２】
このように、送風ガイド２１２ａ，２１２ｂは、用紙搬送方向の異なる位置に対して送風を行うよう複数の送風経路を備えるため、用紙Ｐが用紙搬送ガイド２１４に押しつけられて振動が発生しない状態を維持しつつ、大きな冷却効果を得ることができる。特に、搬送速度が高速である場合には、広い領域で効率的な送風冷却を行える。
【００４３】
〔除電装置の詳細（４）〕
図７は除電装置２００における除電部２１０付近の第４構成例を拡大して示す説明図である。この除電部２１０の上方に送風部２２０が配置されている。
図３〜図６と異なる部分として、用紙搬送ガイド２１４は、用紙Ｐを支える部位（用紙Ｐに接触する部位）が、除電ローラ対から出力される用紙Ｐを搬送する搬送経路（図７中の破線（除電ローラ対の中心と、下流側の装置の入り口部のローラ（図示せず）を結んだ直線））に突出する状態に配置される。
【００４４】
図８は、搬送中の用紙Ｐが除電装置２００の除電部２１０に掛かっている状態を模式的に示している。ここで、除電除電ローラ対（除電ローラ２０１ａ、２１０ｂ）を通過した直後の搬送中の用紙Ｐは、先端付近が用紙搬送ガイド２１４で下から支持された状態になっている。
【００４５】
この図８の場合には、用紙搬送ガイド２１４が搬送経路に一部突出しているため、用紙搬送ガイド２１４が搬送経路に突出しないものに比較して、用紙Ｐは用紙搬送ガイド２１４と少し上流側で互いに接触した状態になる。そして、用紙ガイド２１４を通過した用紙Ｐの先端部分に、送風ガイド２１２で向きが調整された送風部２２０からの冷却風が上からあたっている。
【００４６】
これにより、用紙Ｐは、用紙搬送ガイド２１４とは面で接触する状態になり、また、上からの冷却風により用紙搬送ガイド２１４に押しつけられた状態になっている。すなわち、支えのない自由状態の領域が減少し、従来技術として説明したような用紙Ｐの搬送中における振動が一層発生しにくい状態になる。
【符号の説明】
【００４７】
１００  画像形成装置
２００  除電装置
３００  後処理装置
【図１】
0006604169.tif 000002
【図２】
0006604169.tif 000003
【図３】
0006604169.tif 000004
【図４】
0006604169.tif 000005
【図５】
0006604169.tif 000006
【図６】
0006604169.tif 000007
【図７】
0006604169.tif 000008
【図８】
0006604169.tif 000009
【図９】
0006604169.tif 000010
【図１０】
0006604169.tif 000011